(57)【要約】【課題】レーベル面への映り込みを低減できるようにして、可視情報記録層に書き込んだ可視情報の視認性を良好にさせる。【解決手段】第１光記録媒体１０Ａは、第１積層体１２と第２積層体１４とを有する。第１積層体１２は、表面にプリグルーブ１６が形成された透明性の第１基板１８と、該第１基板１８上に形成されたデジタル情報記録層２０と、該デジタル情報記録層２０上に形成された第１反射層２２とを有する。第２積層体１４は、表面にプリピット（図示せず）が形成された透明性の第２基板２４と、該第２基板２４上に形成された可視情報記録層２６と、該可視情報記録層上に形成された第２反射層２８と、第２基板２４の端面３０（平滑面）に粘着層３２を介して貼着された第１被覆部材３４とを有する。【選択図】図１
2008140433.tif 000002
【特許請求の範囲】
【請求項１】
基板と、前記基板上に形成され、レーザ光の照射によって可視情報が記録される可視情報記録層とを有する光記録媒体において、
前記可視情報記録層に前記可視情報が記録され、且つ、前記基板の端面が粗面となっていることを特徴とする光記録媒体。
【請求項２】
請求項１記載の光記録媒体において、
前記基板は、
前記可視情報記録層が形成された透明基板と、
前記可視情報記録層に前記可視情報が記録された後に、前記透明基板の端面に貼着された被覆部材とを有し、
前記被覆部材の端面が粗面となっていることを特徴とする光記録媒体。
【請求項３】
請求項２記載の光記録媒体において、
前記被覆部材の厚みが１〜２０μｍであることを特徴とする光記録媒体。
【請求項４】
請求項１記載の光記録媒体において、
前記基板は、
前記可視情報記録層が形成され、且つ、端面が粗面とされた透明基板と、
一方の面が平滑面とされ、且つ、他方の面が前記透明基板の端面に貼着され、前記可視情報記録層に前記可視情報が記録された後に、前記透明基板から剥がされる被覆部材とを有することを特徴とする光記録媒体。
【請求項５】
請求項１〜４のいずれか１項に記載の光記録媒体において、
前記粗面は、Ｒａ（算術平均粗さ）が０．０５〜０．５μｍ、Ｓｍ（凹凸の平均間隔）が２０〜１００μｍであることを特徴とする光記録媒体。
【請求項６】
基板と、前記基板上に形成され、レーザ光の照射によって可視情報が記録される可視情報記録層とを有する光記録媒体の使用方法において、
前記可視情報記録層に前記可視情報を記録するステップと、
一方の面が粗面とされた被覆部材の他方の面を、前記基板の端面に対向させて、前記基板の端面に貼着するステップとを有することを特徴とする光記録媒体の使用方法。
【請求項７】
請求項６記載の光記録媒体の使用方法において、
前記被覆部材の厚みが１〜２０μｍであることを特徴とする光記録媒体の使用方法。
【請求項８】
基板と、前記基板上に形成され、レーザ光の照射によって可視情報が記録される可視情報記録層とを有する光記録媒体の使用方法において、
前記基板は、前記可視情報記録層が形成され、且つ、端面が粗面とされた透明基板と、一方の面が平滑面とされ、且つ、他方の面が前記透明基板の端面に貼着された被覆部材とを有し、
前記透明基板の端面に前記被覆部材を貼着した状態で前記可視情報記録層に前記可視情報を記録するステップと、
前記被覆部材を剥がすステップとを有することを特徴とする光記録媒体の使用方法。
【請求項９】
請求項６〜８のいずれか１項に記載の光記録媒体の使用方法において、
前記粗面は、Ｒａが０．０５〜０．５μｍ、Ｓｍが２０〜１００μｍであることを特徴とする光記録媒体の使用方法。
【請求項１０】
基板と、前記基板上に形成され、レーザ光の照射によって可視情報が記録される可視情報記録層とを有する光記録媒体に使用される被覆部材であって、
平面形状が前記基板の平面形状とほぼ同じであり、
一方の面が粗面とされ、
他方の面に粘着層が形成され、
前記他方の面が前記粘着層を介して前記基板に貼着されることを特徴とする被覆部材。
【請求項１１】
請求項１０記載の被覆部材において、
厚みが１〜２０μｍであることを特徴とする被覆部材。
【請求項１２】
端面が粗面とされた基板と、前記基板上に形成され、レーザ光の照射によって可視情報が記録される可視情報記録層とを有する光記録媒体に使用される被覆部材であって、
平面形状が前記基板の平面形状とほぼ同じであり、
一方の面が平滑面とされ、
他方の面に粘着層が形成され、
前記他方の面が前記粘着層を介して前記基板の端面に貼着されることを特徴とする被覆部材。
【請求項１３】
請求項１０〜１２のいずれか１項に記載の被覆部材において、
前記粗面は、Ｒａが０．０５〜０．５μｍ、Ｓｍが２０〜１００μｍであることを特徴とする被覆部材。
【発明の詳細な説明】
【技術分野】
【０００１】
本発明は、光記録媒体、光記録媒体の使用方法及び被覆部材に関し、特に、基板と、前記基板上に形成され、レーザ光の照射によって可視情報が記録される可視情報記録層とを有する光記録媒体、光記録媒体の使用方法及び被覆部材に関する。
【背景技術】
【０００２】
ＣＤ−ＲやＤＶＤ−Ｒ等の光記録媒体の１種として、電子情報が記録される記録面と反対側の面に、記録面に記録した電子情報の内容、例えば、音楽データの楽曲タイトルや、記録したデータを識別するためのタイトル等の可視情報を印刷したラベルを貼付したものが知られている。このため、該反対側の面は、レーベル面と呼称される。
【０００３】
この種の光記録媒体は、プリンタ等によって円形のラベルシート上にタイトル等を予め印刷し、当該ラベルシートをレーベル面に貼付することにより作製される。
【０００４】
しかしながら、ラベルシートをレーベル面に貼付する場合、ディスクドライブとは別に、ラベルシートを印刷するためのプリンタが必要となる。すなわち、ディスクドライブを用いて光記録媒体の記録面に記録を行った後、該光記録媒体をディスクドライブから取り出し、さらに、プリンタによって印刷されたラベルシートを貼付する等といった煩雑な作業を行う必要がある。
【０００５】
そこで、レーベル面にレーザマーカを使用して表面と背景のコントラストを変化させて表示をさせることができる光記録媒体が提案されている（例えば、特許文献１参照）。この光記録媒体を用いることで、光記録媒体ドライブのみで記録面への記録と、レーベル面への所望の可視画像記録とを行うことができる。従って、プリンタ等を別途用意する必要がなくなり、ラベルシートを貼付するという煩雑な作業も不要となる。
【０００６】
【特許文献１】特開平１１−６６６１７号公報
【発明の開示】
【発明が解決しようとする課題】
【０００７】
しかしながら、従来の光記録媒体においては、レーベル面の鏡面反射率が高いため、周囲のもの（背景）がレーベル面に映り込み、レーベル面に書き込んだ可視画像の視認性が低いという問題があった。
【０００８】
本発明はこのような課題を考慮してなされたものであり、レーベル面への映り込みを低減することができ、可視情報記録層に書き込んだ可視情報の視認性を良好にすることができる光記録媒体、光記録媒体の使用方法及び被覆部材を提供することを目的とする。
【課題を解決するための手段】
【０００９】
第１の本発明に係る光記録媒体は、基板と、前記基板上に形成され、レーザ光の照射によって可視情報が記録される可視情報記録層とを有する光記録媒体において、前記可視情報記録層に前記可視情報が記録され、且つ、前記基板の端面が粗面となっていることを特徴とする。
【００１０】
これにより、レーベル面への映り込みを低減することができ、可視情報記録層に書き込んだ可視情報の視認性を良好にすることができる。
【００１１】
そして、第１の本発明において、前記基板は、前記可視情報記録層が形成された透明基板と、前記可視情報記録層に前記可視情報が記録された後に、前記透明基板の端面に貼着された被覆部材とを有し、前記被覆部材の端面が粗面となっていてもよい。この場合、前記被覆部材の厚みが１〜２０μｍであることが好ましい。
【００１２】
また、第１の本発明において、前記基板は、前記可視情報記録層が形成され、且つ、端面が粗面とされた透明基板と、一方の面が平滑面とされ、且つ、他方の面が前記透明基板の端面に貼着され、前記可視情報記録層に前記可視情報が記録された後に、前記透明基板から剥がされる被覆部材とを有するようにしてもよい。
【００１３】
また、第１の本発明において、前記粗面（基板の粗面、被覆部材の粗面、透明基板の粗面）は、Ｒａ（算術平均粗さ：平均線から絶対値偏差の平均値）が０．０５〜０．５μｍ、Ｓｍ（凹凸の平均間隔：粗さ曲線が平均線と交差する交点から求めた山谷−周期の間隔の平均値）が２０〜１００μｍであることが好ましい。
【００１４】
次に、第２の本発明に係る光記録媒体の使用方法は、基板と、前記基板上に形成され、レーザ光の照射によって可視情報が記録される可視情報記録層とを有する光記録媒体の使用方法において、前記可視情報記録層に前記可視情報を記録するステップと、一方の面が粗面とされた被覆部材の他方の面を、前記基板の端面に対向させて、前記基板の端面に貼着するステップとを有することを特徴とする。この場合、前記被覆部材の厚みが１〜２０μｍであることが好ましい。
【００１５】
次に、第３の本発明に係る光記録媒体の使用方法は、基板と、前記基板上に形成され、レーザ光の照射によって可視情報が記録される可視情報記録層とを有する光記録媒体の使用方法において、前記基板は、前記可視情報記録層が形成され、且つ、端面が粗面とされた透明基板と、一方の面が平滑面とされ、且つ、他方の面が前記透明基板の端面に貼着された被覆部材とを有し、前記透明基板の端面に前記被覆部材を貼着した状態で前記可視情報記録層に前記可視情報を記録するステップと、前記被覆部材を剥がすステップとを有することを特徴とする。
【００１６】
上述した第２及び第３の本発明に係る光記録媒体の使用方法においては、レーベル面への映り込みを低減することができ、可視情報記録層に書き込んだ可視情報の視認性を良好にすることができる。
【００１７】
また、上述した第２及び第３の本発明において、前記粗面（被覆部材の粗面、透明基板の粗面）は、Ｒａ（算術平均粗さ）が０．０５〜０．５μｍ、Ｓｍ（凹凸の平均間隔）が２０〜１００μｍであることが好ましい。
【００１８】
次に、第４の本発明に係る被覆部材は、基板と、前記基板上に形成され、レーザ光の照射によって可視情報が記録される可視情報記録層とを有する光記録媒体に使用される被覆部材であって、平面形状が前記基板の平面形状とほぼ同じであり、一方の面が粗面とされ、他方の面に粘着層が形成され、前記他方の面が前記粘着層を介して前記基板に貼着されることを特徴とする。この場合、被覆部材の厚みは１〜２０μｍであることが好ましい。
【００１９】
次に、第５の本発明に係る被覆部材は、端面が粗面とされた基板と、前記基板上に形成され、レーザ光の照射によって可視情報が記録される可視情報記録層とを有する光記録媒体に使用される被覆部材であって、平面形状が前記基板の平面形状とほぼ同じであり、一方の面が平滑面とされ、他方の面に粘着層が形成され、前記他方の面が前記粘着層を介して前記基板の端面に貼着されることを特徴とする。
【００２０】
上述した第４及び第５の本発明に係る被覆部材においては、レーベル面への映り込みを低減することができ、可視情報記録層に書き込んだ可視情報の視認性を良好にすることができる。
【００２１】
また、上述した第４及び第５の本発明において、前記粗面（被覆部材の粗面、基板の粗面）は、Ｒａ（算術平均粗さ）が０．０５〜０．５μｍ、Ｓｍ（凹凸の平均間隔）が２０〜１００μｍであることが好ましい。
【発明の効果】
【００２２】
以上説明したように、本発明に係る光記録媒体、光記録媒体の使用方法及び被覆部材によれば、レーベル面への映り込みを低減することができ、可視情報記録層に書き込んだ可視情報の視認性を良好にすることができる。
【発明を実施するための最良の形態】
【００２３】
以下、本発明に係る光記録媒体、光記録媒体の使用方法及び被覆部材の実施の形態例を図１〜図７を参照しながら説明する。
【００２４】
［第１光記録媒体１０Ａ］
先ず、第１の実施の形態に係る光記録媒体（以下、第１光記録媒体１０Ａと記す）について図１及び図２を参照しながら説明する。
【００２５】
第１光記録媒体１０Ａは、図１に示すように、第１積層体１２と第２積層体１４とを有する。
【００２６】
第１積層体１２は、表面にプリグルーブ１６が形成された透明性の第１基板１８と、該第１基板１８上に形成されたデジタル情報記録層２０と、該デジタル情報記録層２０上に形成された第１反射層２２とを有する。
【００２７】
第２積層体１４は、表面にプリピット（図示せず）が形成された透明性の第２基板２４と、該第２基板２４上に形成された可視情報記録層２６と、該可視情報記録層上に形成された第２反射層２８と、第２基板２４の端面３０（平滑面）に粘着層３２を介して貼着された第１被覆部材３４とを有する。
【００２８】
第１被覆部材３４は、一方の面が粗面３６とされ、他方の面に粘着層３２が形成されている。従って、第１被覆部材３４の他方の面が第２基板２４の端面３０に粘着層３２を介して貼着されることになる。
【００２９】
そして、図１に示すように、第１積層体１２及び第２積層体１４が、第１反射層２２と第２反射層２８とが対向するように、接着層３８を介して貼り合わされている。
【００３０】
デジタル情報記録層２０及び可視情報記録層２６への記録は、図２に示すように、第１被覆部材３４が貼着されていない状態で行われる。
【００３１】
すなわち、デジタル情報記録層２０は、例えば第１基板１８側から照射されたレーザ光４０によってデータ（ピット情報）の記録及び／又は再生が可能となっている。
【００３２】
可視情報記録層２６は、例えば第２基板２４の端面３０（レーベル面）側から照射されたレーザ光４０によって可視情報（画像）が記録できるようになっている。
【００３３】
上述した第１光記録媒体１０Ａの構成としては、レーザ光４０の照射により可視情報の描画が可能な可視情報記録層２６を具備した構成であれば特に限定されない。すなわち、読出し専用型、追記型、書換え可能型等のいずれにすることもできる。なかでも、追記型であることが好ましい。また、記録形式としては、相変化型、光磁気型、色素型等、特に制限されない。なかでも、色素型であることが好ましい。
【００３４】
特に、図１に示す第１光記録媒体１０Ａは、第１基板１８上にデジタル情報記録層２０を有し、第２基板２４上に可視情報記録層２６を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００３５】
第１光記録媒体１０Ａの層構成、特に、第１被覆部材３４を除く層構成としては、図２に示す層構成のほか、例えば、以下の構成が挙げられる。
【００３６】
（１）第１の層構成は、図示しないが、第１基板１８上に、デジタル情報記録層２０、第１反射層２２、接着層３８を順次形成し、接着層３８上に、第２反射層２８及び可視情報記録層２６を有する第２基板２４を貼り合わせる構成である。
【００３７】
（２）第２の層構成は、図示しないが、第１基板１８上に、デジタル情報記録層２０、第１反射層２２、保護層、接着層３８を順次形成し、接着層３８上に、第２反射層２８及び可視情報記録層２６を有する第２基板２４を貼り合わせる構成である。
【００３８】
（３）第３の層構成は、図示しないが、第１基板１８上に、デジタル情報記録層２０、第１反射層２２、第１保護層、接着層３８、第２保護層を順次形成し、該第２保護層上に、第２反射層２８及び可視情報記録層２６を有する第２基板２４が形成されている構成である。
【００３９】
（４）第４の層構成は、図示しないが、第１基板１８上に、デジタル情報記録層２０、第１反射層２２、第１保護層、接着層３８、第２保護層、第３保護層を順次形成し、該第３保護層上に、第２反射層２８及び可視情報記録層２６を有する第２基板２４が形成されている構成である。
【００４０】
（５）第５の層構成は、第１基板１８上に、デジタル情報記録層２０、第１反射層２２、接着層３８、第２反射層２８を順次形成し、該第２反射層２８上に、可視情報記録層２６を有する第２基板２４が形成されている構成である。この層構成は図２とほぼ同じになる。
【００４１】
（６）第６の層構成は、図示しないが、第１基板１８上に、デジタル情報記録層２０、第１反射層２２、第１保護層を順次形成し、一方、第２基板２４上に、可視情報記録層２６、第２反射層２８、第２保護層を順次形成し、接着層３８を介して第１保護層及び第２保護層を貼り合わせる構成である。
【００４２】
なお、図２に示す層構成、並びに上記（１）〜（６）の層構成は単なる例示であり、これらの層構成は上述の順番のみでなく、一部を入れ替えてもよい。また、一部（可視情報記録層２６を除く）を省略してもかまわない。さらに、各層は１層で構成されても複数層で構成されてもよい。
【００４３】
以下、図１に示す第１光記録媒体１０Ａの各層とその形成方法について説明する。
【００４４】
（デジタル情報記録層２０）
デジタル情報記録層２０は、記録及び再生に使用されるレーザ光により情報の記録及び再生が行われる層である。特に、デジタル情報等の符号情報（コード化情報）が記録される。デジタル情報記録層２０としては、色素記録層でも相変化型記録層でもよいが、色素記録層が好ましい。
【００４５】
色素記録層（デジタル情報記録層２０）に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【００４６】
また、特開平４−７４６９０号公報、同８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素を用いることも可能である。
【００４７】
上記化合物の中では、第１光記録媒体１０Ａが「ＣＤ−Ｒ」の場合、シアニン色素、アゾ色素、フタロシアニン色素が好ましく、「ＤＶＤ−Ｒ」の場合、シアニン色素、オキソノール色素、アゾ色素（Ｎｉ、Ｃｏ錯体を含む）、ピロメテン化合物が好ましく、「ブルーレイディスク及びＨＤ  ＤＶＤ」の場合、シアニン色素、オキソノール色素、アゾ色素、フタロシアニン色素、ベンゾトリアゾール化合物、トリアジン化合物が好ましい。
【００４８】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ  ＤＶＤ」の場合、シアニン色素、オキソノール色素、アゾ色素、フタロシアニン色素がさらに好ましい。
【００４９】
デジタル情報記録層２０は、色素等の記録物質を、結合剤等と共に適当な溶剤に溶解して塗布液を調製する。次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００５０】
デジタル情報記録層２０の形成は、蒸着、スパッタリング、ＣＶＤ、又は溶剤塗布等の方法によって行うことができるが、溶剤塗布が好ましい。
【００５１】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【００５２】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等、各種の添加剤を目的に応じて添加してもよい。
【００５３】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【００５４】
デジタル情報記録層２０の材料として結合剤を併用する場合、結合剤の使用量は、一般に色素の質量の０．０１倍量〜５０倍量の範囲にあり、好ましくは０．１倍量〜５倍量の範囲にある。
【００５５】
前記溶剤塗布の塗布方法としては、スプレー法、スピンコート法、ディップ法、ロールコート法、ブレードコート法、ドクターロール法、スクリーン印刷法等を挙げることができる。デジタル情報記録層２０は単層でも重層でもよい。デジタル情報記録層２０の層厚は一般に１０〜５００ｎｍの範囲にあり、好ましくは１５〜３００ｎｍの範囲にあり、より好ましくは２０〜１５０ｎｍの範囲にある。
【００５６】
デジタル情報記録層２０には、該デジタル情報記録層２０の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許第３５０３９９号明細書、そして日本化学会誌１９９２年１０月号第１１４１頁等に記載のものを挙げることができる。
【００５７】
前記一重項酸素クエンチャー等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【００５８】
相変化型のデジタル情報記録層２０を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。相変化型のデジタル情報記録層２０の層厚としては、１０〜５０ｎｍとすることが好ましく、１５〜３０ｎｍとすることがより好ましい。以上の相変化型のデジタル情報記録層２０は、スパッタ法、真空蒸着法等の気相薄膜堆積法等によって形成することができる。
【００５９】
（第１基板１８、第２基板２４）
第１光記録媒体１０Ａの第１基板１８及び第２基板２４は、従来の光記録媒体の基板として用いられている各種の材料から任意に選択することができる。なお、ここでは、第２基板２４のうち、可視情報記録層２６が形成される面にプリピット（図示せず）が形成されている。
【００６０】
第１基板１８及び第２基板２４の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【００６１】
第２基板２４は、スタンパを用いて、可視情報記録層２６が形成される側にプリピット（図示せず）を有する基板を作製する工程を経て製造される。
【００６２】
第１基板１８及び第２基板２４の厚さは、０．１〜１．２ｍｍとすることが好ましく、０．２〜１．１ｍｍとすることがより好ましく、０．５〜１．１ｍｍであることがさらに好ましい。０．５〜１．１ｍｍであることで、例えばＤＶＤ−Ｒ及びＤＶＤ＋ＲのドライブやＤＶＤレコーダに搭載されているレーザ光４０での描画が可能になる。また、第１基板１８には基本的にグルーブもしくはトラッキング用のサーボ信号が形成されていることが好ましく、第２基板２４にはそのような溝もしくはトラッキング用のサーボ信号が形成された基板を用いてもよい。第１基板１８のプリグルーブ１６のトラックピッチは、２８０〜９００ｎｍの範囲にとすることが好ましく、３００〜８００ｎｍの範囲とすることがより好ましい。また、プリグルーブ１６の深さ（溝深さ）は、１５〜２００ｎｍの範囲とすることが好ましく、２５〜１８０ｎｍの範囲とすることがより好ましい。
【００６３】
可視情報記録層２６に高精彩な可視画像を記録するには、第２基板２４にもトラッキング用のプリグルーブ（溝）を設けてもよい。この場合、プリグルーブのトラックピッチは、記録用のレーザ光４０の強度分布の観点から、０．３〜２００μｍの範囲にとすることが好ましく、０．６〜１００μｍの範囲とすることがより好ましく、０．７〜５０μｍとすることがさらに好ましい。
【００６４】
また、可視情報の記録時にトラッキングをかけて、且つ、レーザ光４０を入射する側の基板厚さが０．６ｍｍの場合において、溝の深さは、５０〜２５０ｎｍとすることが好ましく、８０〜２００ｎｍとすることがより好ましく、１００〜１８０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザ光４０の波長、ＮＡ、基板厚等でその最適範囲が異なることがある。
【００６５】
第１基板１８の表面（プリグルーブ１６が形成された面（ＲＯＭの場合はピットが形成された面）側）には、平面性の改善、接着力の向上、及びデジタル情報記録層２０の変質防止の目的で、下塗層が設けられてもよい。
【００６６】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。
【００６７】
下塗層の層厚は一般に０．００５〜２０μｍの範囲にあり、好ましくは０．０１〜１０μｍの範囲である。
【００６８】
（第１反射層２２及び第２反射層２８）
情報の再生時における反射率の向上の目的で、デジタル情報記録層２０に隣接して第１反射層２２が設けられ、可視情報の記録時におけるフォーカシング制御の向上の目的で、可視情報記録層２６に隣接して第２反射層２８が設けられる。第１反射層２２及び第２反射層２８の材料である光反射性物質はレーザ光４０に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｇ、Ａｌあるいはそれらの合金である。第１反射層２２及び第２反射層２８は、例えば、上記光反射性物質を蒸着、スパッタリング又はイオンプレーティングすることにより、デジタル情報記録層２０及び可視情報記録層２６の上に形成することができる。第１反射層２２及び第２反射層２８の層厚は、１０〜３００ｎｍの範囲にあり、５０〜２００ｎｍの範囲にあることが好ましい。
【００６９】
（接着層３８）
接着層３８は、図１における第１積層体１２と第２積層体１４とを接着するための層であり、第１反射層２２と第２反射層２８との間に位置する。接着層３８に使用される接着剤としては、公知の紫外線硬化樹脂等を使用することができる。
【００７０】
（可視情報記録層２６）
第１光記録媒体１０Ａは、上述したように、デジタル情報記録層２０とは反対側の面に可視情報記録層２６を有する。可視情報記録層２６には、文字、図形、絵柄等、ユーザが所望する可視画像（可視情報）が記録される。可視情報記録層２６に記録される可視情報とは、視覚的に認識可能な画像を意味し、文字（列）、絵柄、図形等あらゆる視認可能な情報を含む。可視情報としては、文字、図形、絵柄等、ユーザが所望する可視画像が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【００７１】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００７２】
可視情報記録層２６は、レーザ光４０の照射により、文字、画像、絵柄等の画像情報を視認可能に記録できればよい。レーザ光４０の照射によって可視情報を明瞭に形成できることを考慮すると、可視情報記録層２６は、色素化合物を含有することが好ましい。そして、その構成材料としては、上述したデジタル情報記録層２０において説明した色素を好適に用いることができる。この場合、コスト等を考慮して、可視情報記録層２６は色素化合物を含有する塗布液を用いてスピンコートにより形成されていることが好ましい。
【００７３】
また、第１光記録媒体１０Ａにおいては、上述したデジタル情報記録層２０の構成成分（色素又は相変化記録材料）と可視情報記録層２６の構成成分とを同じにしても、異ならせてもよいが、デジタル情報記録層２０と可視情報記録層２６とでそれぞれ要求される特性が相違するため、構成成分は異ならせることが好ましい。具体的には、デジタル情報記録層２０の構成成分は記録・再生特性に優れるものとし、可視情報記録層２６の構成成分は記録される可視情報（画像）のコントラストが高くなるものとすることが好ましい。特に、色素を用いる場合、可視情報記録層２６には、記録される可視情報（画像）のコントラスト向上の観点から、上述した色素の中でも特に、シアニン色素、フタロシアニン色素、アゾ色素、アゾ金属錯体、オキソノール色素を用いることが好ましい。
【００７４】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオラン等のフルオラン化合物；等が好ましい。
【００７５】
可視情報記録層２６は、上述した色素を溶剤に溶解して塗布液を調製し、該塗布液を塗布することによって形成することができる。溶剤としては既述のデジタル情報記録層２０の塗布液の調製に使用する溶剤と同じ溶剤を使用することができる。その他の添加剤、塗布方法等は、上述したデジタル情報記録層２０の場合と同様である。
【００７６】
（粘着層３２）
粘着層３２は、粘着剤を使用することができる。粘着剤としては、例えばアクリル系ポリマ、シリコーン系ポリマ、ポリエステル、ポリウレタン、ポリエーテル等をベースポリマとするものを用いることができる。なかでも、アクリル系の粘着剤のように、光学的な透明性に優れ、適度の濡れ性や凝集力を保持し、基材との接着性にも優れ、さらには対候性や耐熱性などを有し、加熱や加湿の条件下で浮きや剥がれ等の剥離問題を生じないものを選択して用いることが好ましい。アクリル系の粘着剤においては、メチル基やエチル基やブチル基等の炭素数が２０以下のアルキル基を有するアクリル酸のアルキルエステルと、（メタ）アクリル酸や（メタ）アクリル酸ヒドロキシエチル等からなる官能基含有アクリル系モノマとを、ガラス転位温度が好ましくは２５℃以下、さらに好ましくは０℃以下となるように配合した、重量平均分子量が１０万以上のアクリル系共重合体がベースポリマとして有用である。
【００７７】
また、粘着剤の屈折率は、第２基板２４と同等であることが好ましい。例えば第２基板２４に対する粘着剤の屈折率の比が好ましくは０．９〜１．１の範囲であり、より好ましくは０．９９〜１．０１の範囲である。
【００７８】
第２基板２４への粘着層３２の形成は、例えばトルエンや酢酸エチル等の有機溶媒に粘着剤組成物を溶解又は分散させて１０〜４０重量％程度の濃度の塗液を調製し、これを第２基板２４上に直接塗布して粘着層３２を形成する方法や、予めプロテクトフィルム上に粘着層３２を形成しておき、それを第２基板２４上に貼着することで粘着層３２を形成する方法等により、行うことができる。
【００７９】
（第１被覆部材３４）
第１被覆部材３４は、上述したように、一方の面が粗面３６とされ、他方の面が平滑面とされている。
【００８０】
第１被覆部材３４の材料としては、第２基板２４と同じ材料を用いることができ、例えばポリカーボネート、ポリエチレンテレフタレート（ＰＥＴ）、トリアセチルセルロース（ＴＡＣ）等が挙げられる。
【００８１】
第１被覆部材３４の一方の面を粗面３６とする方法としては、例えば第１被覆部材３４を作製した後、一方の面に微粒子を分散した樹脂を塗布し、樹脂を硬化させて、第１被覆部材３４の一方の面を粗面３６とする方法が好ましく採用される。この場合、上記樹脂としては、アクリレート系紫外線硬化樹脂、エポキシ系、イソシアネート系熱硬化性樹脂等を使用することができる。また、微粒子は、ＳｉＯ2、Ａｌ2Ｏ3等の無機微粒子やポリカーボネート、アクリル系の樹脂粒子等を使用することができる。微粒子の体積平均粒径は、０．３〜２００μｍであることが好ましく、０．６〜１００μｍであることがより好ましい。当該微粒子の粒径と添加量を調整することで、第１被覆部材３４における一方の面の粗面３６を所望の粗さとすることができる。
【００８２】
粗面３６の特性値としては、Ｒａ（算術平均粗さ：平均線から絶対値偏差の平均値）が０．０５〜０．５μｍ、Ｓｍ（凹凸の平均間隔：粗さ曲線が平均線と交差する交点から求めた山谷−周期の間隔の平均値）が２０〜１００μｍであることが好ましい。この範囲にあることで、可視情報記録層２６に記録された可視情報の視認性を特に向上させることができる。第１被覆部材３４の粗面３６の「Ｒａ」「Ｓｍ」は、いずれも原子間力顕微鏡（ＡＦＭ）、光干渉式粗さ計、触針式粗さ計等により測定することができる。特に、走査長が長く、且つ、深さ方向のダイナミックレンジが大きいことから触針式粗さ計が好適である。
【００８３】
以下に、図１では図示しないが、好ましい態様において形成される保護層について説明する。
【００８４】
（保護層）
第１反射層２２やデジタル情報記録層２０等を物理的及び化学的に保護する目的で保護層が設けられてもよい。保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００８５】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は一般には０．１μｍ〜１ｍｍの範囲にある。
【００８６】
なお、第１光記録媒体１０Ａは、第１基板１８にレーザ光４０により再生可能な情報が記録された記録部（ピット）を有する、いわゆる再生専用型の光ディスクに適用することができるのは既述の通りである。
【００８７】
（第１光記録媒体１０Ａの使用方法）
ここで、第１光記録媒体１０Ａの使用方法を図３を参照しながら説明する。
【００８８】
先ず、図３のステップＳ１において、例えば図２に示すように、第２基板２４の端面に第１被覆部材３４（図１参照）を貼着しない状態で、少なくとも可視情報記録層２６に対しレーザ光４０を照射して可視情報（画像）の記録を行う。もちろん、デジタル情報記録層２０及び可視情報記録層２６への記録を行ってもよい。この場合、可視情報記録層２６への可視情報（画像）の記録は、第１光記録媒体１０Ａの可視情報記録層２６への画像情報の記録が可能な記録装置を用いて行う。
【００８９】
例えば第１光記録媒体１０Ａにおいて、可視情報記録層２６への可視情報の記録、及びデジタル情報記録層２０へのデジタル情報（ピット情報）の記録は、両層への記録機能を有する１つの光記録媒体ドライブ（記録装置）で行うことができる。このように１つの光記録媒体ドライブを使用する場合、可視情報記録層２６及びデジタル情報記録層２０のいずれか一方の層への記録を行った後、裏返して他方の層に記録を行うことができる。可視情報記録層２６への可視情報（画像）の記録をする機能を有する光記録媒体ドライブとしては、例えば、特開２００２−２０３３２１号公報、特開２００３−２０３３４８号公報、特開２００３−２４２７５０号公報等に記載された装置を用いることができる。
【００９０】
特に、本実施の形態では、第２基板２４に形成されたプリピット（図示せず）を検出することによって、当該第１光記録媒体１０Ａが可視情報記録層２６を有する光記録媒体であるかを容易に検出することができ、また、プリピットに含まれる情報に基づいて、可視情報記録層２６に可視情報（画像）を描画する際のレーザ光４０の出力を最適な出力に設定することができ、しかも、可視情報を高い描画特性をもって記録することができる。
【００９１】
上述したように、可視情報記録層２６に可視情報を記録した後、図３のステップＳ２において、第１被覆部材を用意する。
【００９２】
その後、図３のステップＳ３において、図１に示すように、第２基板２４の端面３０に第１被覆部材３４の他方の面（平滑面）を粘着層３２を介して貼着する。これにより、第１光記録媒体１０Ａの第２基板２４の端面側が粗面３６とされる。
【００９３】
第１被覆部材３４は、個別に市場に供給することも可能である。例えば図４に示すように、第１被覆部材３４の他方の端面に粘着層３２を形成し、さらに、粘着層３２の端面に剥離層４２を貼るようにすればよい。この場合、第１光記録媒体１０Ａの少なくとも可視情報記録層２６に可視情報を記録した後に、例えばユーザが剥離層４２を剥がして第１光記録媒体１０Ａの第２基板２４の端面３０に容易に第１被覆部材３４を貼着することができ、好ましい。
【００９４】
このように、第１光記録媒体１０Ａにおいては、可視情報記録層２６に可視情報を記録した後に、第２基板２４の端面に第１被覆部材３４を貼着するようにしたので、レーベル面（第２基板２４の端面３０）への映り込みを低減することができ、可視情報記録層２６に記録された可視情報（画像）の視認性を良好にすることができる。
【００９５】
［第２光記録媒体１０Ｂ］
次に、第１の実施の形態に係る光記録媒体（以下、第２光記録媒体１０Ｂと記す）について図５〜図７を参照しながら説明する。
【００９６】
第２光記録媒体１０Ｂは、図５に示すように、上述した第１光記録媒体１０Ａとほぼ同様の構成を有するが、第２基板２４の端面３０が粗面３６とされている点で異なる。
【００９７】
そして、少なくとも可視情報記録層２６への可視情報の記録は、図６に示すように、第２被覆部材４４が貼着された状態で行われる。第２被覆部材４４は、一方の面が平滑面４６とされ、他方の面に粘着層３２が形成されている。従って、第２被覆部材４４の他方の面が第２基板２４の端面３０に粘着層３２を介して貼着されることになる。
【００９８】
すなわち、可視情報記録層２６は、第２被覆部材４４の端面（平滑面４６）側から照射されたレーザ光４０によって可視情報（画像）が記録できるようになっている。
【００９９】
一方、デジタル情報記録層２０は、例えば第１基板１８側から照射されたレーザ光４０によってデータ（ピット情報）の記録及び／又は再生が可能となっている。
【０１００】
ここで、第２光記録媒体１０Ｂの各層について説明する。なお、第１基板１８、デジタル情報記録層２０、第１反射層２２、接着層３８、可視情報記録層２６、第２反射層２８については、第１光記録媒体１０Ａと同じであるため、その重複説明を省略する。
【０１０１】
（第２基板２４）
第２光記録媒体１０Ｂの第２基板２４は、上述した第１光記録媒体１０Ａの第２基板２４とほぼ同じであるが、端面３０が粗面３６とされている点で異なる。
【０１０２】
第２基板２４の端面３０を粗面３６とする方法としては、種々の方法があり特に限定はされないが、下記のような第１粗面化処理〜第５粗面化処理のいずれかを適用することが好ましい。
【０１０３】
（１）第１粗面化処理は、第２基板２４が接触する一方の面に、粗面化処理が施されたスタンパを用いて、第２基板２４の端面を粗面化するものである。具体的には、先ず、第２基板２４を作製する際に使用するスタンパに粗面化処理を施す。当該粗面化処理の方法としては、例えば、サンドブラストといったブラスト処理等を行い、所望の粗さとしておく。また、後述する第５粗面化処理で説明するような化学処理を施してもよい。そして、このスタンパの粗面化された面が第２基板２４の樹脂材料に接触するように、成形用金型に設置し、公知の方法により成形することで、端面３０が粗面３６とされた第２基板２４が作製される。
【０１０４】
（２）第２の粗面化処理は、成形後に第２基板２４が接触する一方の面に粗面化処理が施された成形用金型を用いて、第２基板２４の端面を粗面３６とするものである。具体的には、第２基板２４の成型用金型で、第２基板２４の端面３０に粗面化処理を施す。当該粗面化処理の方法としては、上記第１粗面化処理の場合と同様であり、当該成形用金型を用い、公知の方法により成形することで、端面３０のみが粗面３６とされた第２基板２４が作製される。
【０１０５】
（３）第３粗面化処理は、第２基板２４を作製した後、可視情報記録層２６が形成される側の面に微粒子を分散した樹脂を塗布し、樹脂を硬化させて、第２基板２４の端面３０を粗面３６にするものである。上記樹脂としては、アクリレート系紫外線硬化樹脂、エポキシ系、イソシアネート系熱硬化性樹脂等を使用することができる。また、微粒子は、ＳｉＯ2、Ａｌ2Ｏ3等の無機微粒子やポリカーボネート、アクリル系の樹脂粒子等を使用することができる。微粒子の体積平均粒径は、０．３〜２００μｍであることが好ましく、０．６〜１００μｍであることがより好ましい。
【０１０６】
（４）第４粗面化処理は、第２基板２４を作製した後、第２基板２４の端面３０に機械加工処理を施して、該端面３０を粗面３６にするものである。機械加工処理としては、種々の処理が適用できるが、サンドブラストといったブラスト処理を適用することが好ましい。
【０１０７】
（５）第５粗面化処理は、第２基板２４を作製した後、第２基板２４の端面３０に化学処理を施して、第２基板２４の端面３０を粗面３６にするものである。化学処理としては、成形後の第２基板２４の端面３０に溶剤を塗布したり、スプレーで噴霧する等してエッチングする処理を適用することができる。当該溶剤としては、ジメチルホルムアミド等の有機溶剤が好ましく、それ以外に、硝酸、塩酸、硫酸といった酸性溶剤等を挙げることができる。上記のような酸性溶剤の規定度を調整したり、塗布時間を調整することで、所望の粗さとすることができる。
【０１０８】
第２基板２４の端面３０、すなわち、粗面３６の特性値としては、第１光記録媒体１０Ａにおける第１被覆部材３４の粗面３６と同様に、Ｒａが０．０５〜０．５μｍ、Ｓｍが２０〜１００μｍであることが好ましい。この範囲にあることで、可視情報記録層２６に記録された可視情報の視認性を特に向上させることができる。第２基板２４の端面３０（粗面３６）の「Ｒａ」「Ｓｍ」は、いずれも原子間力顕微鏡（ＡＦＭ）、光干渉式粗さ計、触針式粗さ計等により測定することができる。特に、走査長が長く、且つ、深さ方向のダイナミックレンジが大きいことから触針式粗さ計が好適である。
【０１０９】
（第２光記録媒体１０Ｂの使用方法）
ここで、第２光記録媒体１０Ｂの使用方法を図７を参照しながら説明する。
【０１１０】
先ず、図７のステップＳ１０１において、図６に示すように、第２被覆部材４４を第２基板２４の端面３０に粘着層３２を介して貼着する。
【０１１１】
その後、図７のステップＳ１０２において、図６に示すように、第２基板２４の端面３０に第２被覆部材４４を貼着した状態で、少なくとも可視情報記録層２６に対しレーザ光４０を照射して可視情報（画像）の記録を行う。もちろん、デジタル情報記録層２０及び可視情報記録層２６への記録を行ってもよい。この場合、可視情報記録層２６への可視情報（画像）の記録は、第２光記録媒体１０Ｂの可視情報記録層２６への画像情報の記録が可能な記録装置を用いて行う。
【０１１２】
例えば第２光記録媒体１０Ｂにおいて、可視情報記録層２６への画像の記録、及びデジタル情報記録層２０への光情報の記録は、上述した第１光記録媒体の場合と同様に、両層への記録機能を有する１つの光記録媒体ドライブ（記録装置）で行うことができる。このように１つの光記録媒体ドライブを使用する場合、可視情報記録層２６及びデジタル情報記録層２０のいずれか一方の層への記録を行った後、裏返して他方の層に記録を行うことができる。
【０１１３】
上述したように、可視情報記録層２６に可視情報を記録した後、図７のステップＳ１０３において、第２被覆部材４４を剥がす。これにより、図５に示すように、第２光記録媒体１０Ｂの第２基板２４の端面３０、すなわち、粗面３６が露出されることとなる。
【０１１４】
このように、第２光記録媒体１０Ｂにおいては、端面３０が粗面３６とされた第２基板２４の端面３０に第２被覆部材４４を貼着した状態で、可視情報記録層２６に可視情報を記録した後に、第２基板２４の端面３０から第２被覆部材４４を剥がすようにしたので、レーベル面（第２基板２４の端面３０）への映り込みを低減することができ、可視情報記録層２６に書き込んだ可視情報の視認性を良好にすることができる。
【０１１５】
なお、本発明に係る光記録媒体、光記録媒体の使用方法及び被覆部材は、上述の実施の形態に限らず、本発明の要旨を逸脱することなく、種々の構成を採り得ることはもちろんである。
【図面の簡単な説明】
【０１１６】
【図１】第１光記録媒体の一例を一部省略して示す断面図である。
【図２】少なくとも第１光記録媒体の可視情報記録層に可視情報を記録する状態を示す説明図である。
【図３】第１光記録媒体の使用方法の一例を示すフローチャートである。
【図４】第１被覆部材の変形例を一部省略して示す断面図である。
【図５】第２光記録媒体の一例を一部省略して示す断面図である。
【図６】少なくとも第２光記録媒体の可視情報記録層に可視情報を記録する状態を示す説明図である。
【図７】第２被覆部材の使用方法の一例を示すフローチャートである。
【符号の説明】
【０１１７】
１０Ａ…第１光記録媒体                  １０Ｂ…第２光記録媒体
１８…第１基板                          ２０…デジタル情報記録層
２４…第２基板                          ２６…可視情報記録層
３０…端面                              ３２…粘着層
３４…第１被覆部材                      ３６…粗面
４２…剥離層                            ４４…第２被覆部材
４６…平滑面
【図１】
2008140433.tif 000003
【図２】
2008140433.tif 000004
【図３】
2008140433.tif 000005
【図４】
2008140433.tif 000006
【図５】
2008140433.tif 000007
【図６】
2008140433.tif 000008
【図７】
2008140433.tif 000009